(57)【要約】      （修正有）【課題】キャップを製造するための成形型において、タブを規定するタブ形成用突片の破損を防止したキャップ製造用成形型を提供する。【解決手段】第一の成形型部材2と、前記表側センターコアに対向する裏側センターコア10と、該裏側センターコアの外側に嵌合され、環状突条形成部20を有する内筒外筒形成用コア11と、該内筒外筒形成用コアの外側に嵌合され、前記外筒形成用上コアと対向する外筒形成用下コア12と、を有する第二の成形型部材3と、を備えたキャップ製造用成形型1において、タブ15を形成するためのタブ形成用突片が、タブ形成用上突片21とタブ形成用下突片22により構成され、前記タブ形成用上突片21は前記外筒形成用上コアの下面に突設され、前記タブ形成用下突片22は前記外筒形成用下コアに設けられ、その上端面22aは前記タブ形成用上突片の下端面21aと当接している。【選択図】図４
2010000602.tif 000002
【特許請求の範囲】
【請求項１】
中央部に位置する表側センターコアと、該表側センターコアの外側に嵌合された中間コアと、該中間コアの外側に嵌合された外筒形成用上コアと、を有する第一の成形型部材と、前記表側センターコアに対向する裏側センターコアと、該裏側センターコアの外側に嵌合され、環状突条形成部を有する内筒外筒形成用コアと、該内筒外筒形成用コアの外側に嵌合され、前記外筒形成用上コアと対向する外筒形成用下コアと、を有する第二の成形型部材と、を備えたキャップ製造用成形型において、
タブを形成するためのタブ形成用突片が、タブ形成用上突片とタブ形成用下突片により構成され、前記タブ形成用上突片は前記外筒形成用上コアの下面に突設され、前記タブ形成用下突片は前記外筒形成用下コアに設けられ、その上端面は前記タブ形成用上突片の下端面と当接していることを特徴とするキャップ製造用成形型。
【請求項２】
中央部に位置する表側センターコアと、該表側センターコアの外側に嵌合された中間コアと、該中間コアの外側に嵌合された外筒形成用上コアと、を有する第一の成形型部材と、前記表側センターコアに対向する裏側センターコアと、該裏側センターコアの外側に嵌合され、環状突条形成部を有する内筒外筒形成用コアと、該内筒外筒形成用コアの外側に嵌合され、前記外筒形成用上コアと対向する外筒形成用下コアと、を有する第二の成形型部材と，を備えたキャップ製造用成形型において、
タブを形成するためのタブ形成用突片が、タブ形成用上突片とタブ形成用下突片により構成され、前記タブ形成用上突片は前記外筒形成用上コアの下面に突設され、前記タブ形成用下突片は前記外筒形成用下コアに設けられ、その上端面は前記タブ形成用上突片の下端面と当接しており、
前記内筒外筒形成用コアには、上側傾斜弱化線形成部と下側傾斜弱化線形成部とにより形成されるＶ字状の縦弱化線形成部および前記縦弱化線形成部と連続する周方向弱化線形成部が設けられていることを特徴とするキャップ製造用成形型。
【請求項３】
前記タブ形成用下突片の上端面と前記タブ形成用上突片の下端面は、前記内筒外筒形成用コアの環状突条形成部の上端、又は、該上端より上方の高さ位置で当接していることを特徴とする請求項１、又は、２記載のキャップ製造用成形型。
【請求項４】
前記請求項１、又は、２記載のキャップ製造用成形型を用いて合成樹脂製キャップを射出成形するキャップ製造方法であって、
離型工程が、第一の成形型部材の表側センターコア、第二の成形型部材の裏側センターコア、第二の成形型部材の外筒形成用コア、を順次、型内のキャップから離れる方向に移動させ、前記キャップの環状突条の背面側にタブ形成用下突片が存在しない状態にする工程と、
前記第二の成形型部材の内筒外筒形成用コアを引き抜く工程と、
を備えていることを特徴とするキャップ製造方法。
【請求項５】
前記請求項４記載のキャップ製造方法により製造されたことを特徴とするタブ付の合成樹脂製キャップ。
【請求項６】
前記タブの付け根に沿って縦弱化線が設けられ、該縦弱化線は、Ｖ字状に交差する上側傾斜弱化線部と下側傾斜弱化線部とにより形成され、その交差部は、タブ側を向いていることを特徴とする請求項5記載の合成樹脂製キャップ。
【発明の詳細な説明】
【技術分野】
【０００１】
この発明は、瓶等の容器口部に打栓装着される、合成樹脂製キャップ及びその製造方法並びにそれに用いるキャップ用成形型に関するものである。
【背景技術】
【０００２】
近年、資源の有効利用や公害防止の観点から、使用済みの容器は、回収し種々の製品の原料として再利用、所謂リサイクルされている。
【０００３】
この容器とキャップは、通常互いに材質が異なり、例えば、容器はガラス製でキャップは合成樹脂製であるので、キャップを容器から外して両者を分離し、分別回収しなければならない。
【０００４】
そこで、分別回収を容易にするため、従来、次の様な合成樹脂製キャップが用いられている（例えば、特開２００１−１４６２５０号公報、参照）。即ち、
キャップ本体と、該キャップ本体における外筒部の内周に設けられ、容器口部の環状係合部に嵌合する環状係止部と、前記外筒部に連続する頂壁部に設けられた周方向弱化線と、前記外筒部に設けられ、人が指で摘むためのタブと、前記タブの付け根に上向き、又は、斜め上向きに設けられ、上端が前記周方向弱化線に連結されている縦弱化線と、を備えた合成樹脂製キャップ。
【特許文献１】特開２００１−１４６２５０号公報
【０００５】
前記キャップでは、瓶（容器）の内容品の使用後、この容器を回収して再使用する場合、前記タブを指で摘み、上向き、又は、斜め上向きに引っ張ると、前記縦弱化線が切れて前記外筒部が縦方向に切断されるので、容器口部の環状係合部に係合している環状係止部の締付け力は弱くなる。更に該タブを周方向に引っ張ると、周方向弱化線が切れ、前記外筒部の一部が容器口部から離れるので、前記締付け力は、益々弱くなる。そのため、前記キャップは、容器口部から容易に外すことができる。
【０００６】
前記合成樹脂製キャップは、第一の成形型部材２Ａと第二の成形型部材３Ａとから構成される成形型を用いて図６に示すような型締め状態で成形空間内に溶融樹脂を射出、冷却して成形される。
【０００７】
前記第一の成形型部材２Ａは、中央部に位置する表側センターコア４Ａと、該表側センターコア２Ａの外側に順次嵌合される、第１中間コア５Ａと、第２中間コア６Ａと、第３中間コア７Ａと、外筒形成用上コア８Ａと、を備えている。前記外筒形成用上コア８Ａの下面には、円弧弧状のタブ形成用突片９Ａが突設されている。
【０００８】
前記第二の成形型部材３Ａは、前記表側センターコア４Ａに対向する裏側センターコア１０Ａ、該裏側センターコア１０Ａの外側に順次嵌合される、環状突条形成部２０Ａを有する内筒外筒形成用コア１１Ａと、外筒形成用下コア１２Ａと、を備えている。前記外筒形成用下コア１２Ａには、前記タブ形成用突片９Ａに対向する円弧状のタブ形成用凹部１３Ａが形成されている。
【０００９】
前記第一の成形型部材２Ａと第二の成形型部材３Ａとを型締めして、キャップ用成形型１Ａを型締めすると、前記外筒形成用上コア８Ａの下面は、前記外筒形成用下コア１２Ａの上面と当接し、前記円弧状のタブ形成用突片９Ａは前記円弧状のタブ形成用凹部１３Ａを閉鎖するようにしながら、その下端面を前記凹部１３Ａの底壁に当接させることで、タブを形成する空間が形成される。
【００１０】
合成樹脂製キャップ１６Ａを成形するには、成形型１Ａを図示しない移動手段によって図６に示す型締め状態に保持させ、図示しない射出成形機からゲート１４Ａを介して前記成形型１Ａ内に溶融合成樹脂を高い圧力で射出して該キャップ１６Ａを形成した後、該成形型内で冷却固化する。その後、該キャップ１６Ａを該成形型１Ａから取り出すために離型工程に移る。
前記離型工程は、該キャップに損傷を与えないようにするため、次の手順で行われている。
第一の成形型部材２Ａの表側センターコア４Ａ、下側キャビティ３Ａの裏側センターコア１０Ａ、第二の成形型部材３Ａの外筒形成用下コア１２Ａ、を順次、キャップ１６Ａから離れる方向に移動させる。
次に、下側キャビティ３Ａの内筒外筒形成用コア１１Ａをキャップ１６Aから離れる方向に移動させる。
更に、第一の成形型部材２Ａの第１中間コア５Ａ、第２中間コア６Ａ、第３中間コア７Ａ、外筒形成用上コア８Ａ、を順次、キャップ１６Ａから離れる方向に移動させる。
【発明の開示】
【発明が解決しようとする課題】
【００１１】
離型は、前述の順序で行われるため、内筒外筒形成用コア１１Ａが移動するときには、外筒１８Ａ（タブ１５Ａ）の外側は開放状態にある。従って、前記内筒外筒形成用コア１１Ａが移動するときには、外筒１８Ａは半径方向外側に撓むことが許容される。
このとき、外筒形成用上コア８Ａの先端に形成された厚みの薄い
円弧状のタブ形成用突片９Ａは、外筒１８Ａ外面とタブ１５Ａ内面の間に保持されているため、前記外筒１８Ａの押圧力を受けて破損や変形が生じやすい。そのため、金型部材の補修や交換等が必要となる。
【００１２】
この発明は、上記事情に鑑み、タブを形成するためのタブ形成用突片の破損を防止し、生産性が改善されたキャップ製造用成形型を提供することを目的とする。他の目的は、分別回収時においてタブを引っ張ったときに、縦弱化線が容易に切れるようにすることである。
【課題を解決するための手段】
【００１３】
この発明は、中央部に位置する表側センターコアと、該表側センターコアの外側に嵌合された中間コアと、該中間コアの外側に嵌着された外筒形成用上コアと、を有する第一の成形型部材と、前記表側センターコアに対向する裏側センターコアと、該裏側センターコアの外側に嵌合され、環状突条形成部を有する内筒外筒形成用コアと、該内筒外筒形成用コアの外側に嵌合され、前記外筒形成用上コアと対向する外筒形成用下コアと、を有する第二の成形型部材と、を備えたキャップ製造用成形型において、タブを形成するためのタブ形成用突片が、タブ形成用上突片とタブ形成用下突片により構成され、前記タブ形成用上突片は前記外筒形成用上コアの下面に突設され、前記タブ形成用下突片は前記外筒形成用下コアに設けられ、その上端面は前記タブ形成用上突片の下端面と当接していることを特徴とするキャップ製造用成形型、である。
【００１４】
この発明は、中央部に位置する表側センターコアと、該表側センターコアの外側に嵌合された中間コアと、該中間コアの外側に嵌合された外筒形成用上コアと、を有する第一の成形型部材と、前記表側センターコアに対向する裏側センターコアと、該裏側センターコアの外側に嵌合され、環状突条形成部を有する内筒外筒形成用コアと、該内筒外筒形成用コアの外側に嵌合され、前記外筒形成用上コアと対向する外筒形成用下コアと、を有する第二の成形型部材と、を備えたキャップ製造用成形型において、
タブを形成するためのタブ形成用突片が、タブ形成用上突片とタブ形成用下突片により構成され、前記タブ形成用上突片は前記外筒形成用上コアの下面に突設され、前記タブ形成用下突片は前記外筒形成用下コアに設けられ、その上端面は前記タブ形成用上突片の下端面と当接しており、
前記内筒外筒形成用コアには、上側傾斜弱化線形成部と下側傾斜弱化線形成部とにより形成されるＶ字状の縦弱化線形成部および前記縦弱化線形成部と連続する周方向弱化線形成部が設けられていることを特徴とするキャップ製造用成形型、である。
【００１５】
この発明の前記タブ形成用下突片の上端面と前記タブ形成用上突片の下端面は、前記内筒外筒形成用コアの環状突条形成部の上端、又は、該上端より上方の高さ位置で当接していることを特徴とする。
【００１６】
この発明は、前記キャップ製造用成形型を用いて合成樹脂製キャップを射出成形するキャップ製造方法であって、離型工程が、第一の成形型部材の表側センターコア、第二の成形型部材の裏側センターコア、第二の成形型部材の外筒形成用コア、を順次、型内のキャップから離れる方向に移動させ、前記キャップの環状突条の背面側にタブ形成用下突片が存在しない状態にする工程と、前記第二の成形型部材の内筒外筒形成用コアを引き抜く工程と、を備えていることを特徴とするキャップ製造方法、である。
【００１７】
この発明は、前記キャップ製造方法により製造されたことを特徴とするタブ付の合成樹脂製キャップ、である。この発明のキャップの前記タブの付け根に沿って縦弱化線が設けられ、該縦弱化線は、Ｖ字状に交差する上側傾斜弱化線部と下側傾斜弱化線部とにより形成され、その交差部は、タブ側を向いていることを特徴とする。
【発明の効果】
【００１８】
この発明は、キャップの構成部材であるタブを形成するためのタブ形成用突片が、タブ形成用上突片とタブ形成用下突片により規定され、前記タブ形成用上突片は前記外筒形成用上コアの下面に設けられ、前記タブ形成用下突片は前記外筒形成用下コアに設けられているので、離型時において外筒形成用下コアが移動すると、タブの内面、外面および外筒の外面は開放状態となる。この状態において、前記外筒形成用コアを移動させると、キャップの環状突条が外方に押圧されて外筒が変位するが、タブ形成用突片は外筒形成用上コア、下コアのそれぞれに分割して形成したために、前記タブ形成用上突片に大きな負荷がかかることは無いので、タブ形成用突片の破損を防止することができる。
【００１９】
この発明の合成樹脂製キャップの前記縦弱化線は、Ｖ字状に交差する上側傾斜弱化線部と下側傾斜弱化線部とにより形成され、その交差部は、タブ側を向いているので、分別時にタブを掴んで周方向に引っ張ると、最初に縦弱化線の交差部に応力がかかるが、この交差部は、尖がっているため、応力集中が発生する。そのため、容易に裂き切りを開始することが出来る。また、タブは、従来例と異なり、周方向にだけ引くため、手は自然な方向に動くので、円滑に分別作業を行うことができる。
【発明を実施するための最良の形態】
【００２０】
（１）本発明者は、前記課題を解決するためには、前記タブ形成用突片の突出長さを短くすれば良いと考え、研究を重ねた。その結果、前記タブ形成用突片を上下に二分割して、タブ形成用上突片とタブ形成用下突片を形成し、前記タブ形成用上突片を前記外筒形成用上コアの下面に突設し、前記タブ形成用下突片を前記外筒形成用下コアに設け、その上端面を前記タブ形成用上コアの下端面と当接させれば良いことがわかった。
【００２１】
前記両タブの当接位置は、必要に応じて適宜選択できるが、前記内筒外筒形成用コアの環状突条形成部の上端、又は、該上端より上方の高さ位置になる様にするが好適である。即ち、前記タブ形成用下突片の上端面を、前記内筒外筒形成用コアの環状突条形成部の上端、又は、該上端より上方の高さ位置になる様にすることが好ましい。
【００２２】
前記当接位置が好適な理由は、離型時において、内筒外筒形成用コアが開方向に移動する際に、キャップの環状突条が内方に突出しているため、この部分が大きく外方に変位するが、タブ形成用下突片が移動した後に前記内筒外筒形成用コアが移動することになるので、キャップの環状突条の背面に対応する部分には、タブ形成用突片が存在しなくなるからである。
【００２３】
（２）本発明者は、分別回収の際に、キャップの弱化部の裂き切り開始部が切れやすい様にするには、該裂き切り開始部に応力集中が発生する様にすればよい、と考え研究を重ねた。その結果、該キャップの外筒に形成される縦弱化線を、V字状に交差する上側傾斜弱化線部と下側傾斜弱化線部とにより形成し、その交差部を、タブ側に向ければよいことが分かると共に、このキャップの製造には、前記キャップ製造用成形型を用いることが好適であることを知った。
また、前記交差部の位置は、環状突条の上端、又は、その上端より上方の高さが好適であることがわかった。
この発明は、上記知見に基づいて完成されたものである。
【実施例】
【００２４】
この発明の実施例を図１〜図５により説明する。
合成樹脂製キャップ１６を製造するための成形型（金型）１は、互いに離接可能な第一の成形型部材（上型）２と第二の成形型部材(下型)３とから構成されている。
【００２５】
前記第一の成形型部材２は、該部材２の中央部に位置する表側センターコア４と、該表側センターコア４の外側に順次嵌合された、第１中間コア５、第２中間コア６、第３中間コア７、外筒形成用上コア８と、を備えている。
【００２６】
前記表側センターコア４及び第１中間コア５によりプルリング形成空間が形成され、前記第１中間コア５と第２中間コア６により注出筒形成空間が形成され、第２中間コア６と第３中間コア７により螺条筒形成空間が形成され、又、外筒形成用上コア８により外筒形成空間が形成される。
【００２７】
前記第二の成形型部材３は、上記表側センターコア４と成形空間を介して対向する裏側センターコア１０と、該裏側センターコア１０の外側に順次嵌合された、内筒外筒形成用コア１１、外筒形成用下コア１２と、を備えている。
【００２８】
前記裏側センターコア１０と内筒外筒形成用コア１１により内筒形成空間が形成され、該内筒外筒形成用コア１１と外筒形成用下コア１２により外筒形成空間が形成される。
【００２９】
前記内筒外筒形成用コア１１には、上側傾斜弱化線形成部と下側傾斜弱化線形成部とにより形成されるＶ字状の縦弱化線形成部および前記縦弱化線形成部と連続する周方向弱化線形成部が設けられている
【００３０】
前記外筒形成用上コア８の下面の内壁側には、タブ形成用上突片２１が突設されている。このタブ形成用上突片２１の下端面２１ａは、前記内筒外筒形成用コア１１の環状突条形成部２０の上端２０ａの高さ位置にあるが、この位置は、必要に応じて適宜選択することができる。
【００３１】
前記外筒形成用下コア１２の上面内壁側には、タブ形成用下突片２２とタブ形成用凹部２３とが設けられている。このタブ形成用下突片２２は前記タブ形成用上突片２１と同一肉厚に形成され、その上端面２２ａは前記タブ形成用下突片２１の下端面２１ａと当接している。このタブ形成用下突片２２は、前記内筒外筒形成用コア１１の環状突条形成部２０の背面に対向する位置にあり、その上端面２２ａは、環状突条形成部２０の上端２０aの高さと同一位置にある。
【００３２】
このタブ形成用下突片２２の高さは、前記タブ形成用上突片２１により制限を受けるが、該タブ形成用下突片２２の上端面２２ａが、前記内筒外筒形成用コア１１の環状突条形成部２０の上端２０ａ、又は、該上端２０ａより上方の高さ位置にすることが好適である。
【００３３】
その理由は、離型時において、内筒外筒形成用コアが開方向に移動する際に、キャップの環状突条１９が内方に突出しているため、この部分が押されて外筒１８が外方に変位するが、前記タブ形成用突片２２を前記高さ位置にすると、タブ形成用下突片２２が移動した後に前記内筒外筒形成用コア１１が移動することになるので、前記環状突条１９の背面に対応する部分には前記タブ形成用突片が存在しない開放状態になり、破損される恐れが無いからである。
【００３４】
次に、本実施例の作動について説明する。
図示しない射出成形機により、ゲート１４を介して成形型１内部の成形品空間(型部)に溶融合成樹脂材料を充填し、その充填した溶融合成樹脂材料を冷却固化させた後、離型工程に移行する。
【００３５】
離型工程は、次の手順で行われる。
（１）第一の成形型部材２の表側センターコア４、第二の成形型部材３の裏側センターコア１０、第二の成形型部材３の外筒形成用下コア１２、を順次、キャップ１６から離れる方向に移動させる。
この状態では、図５に示すように、第二の成形型部材３は内筒外筒形成用コア１１だけとなり、環状突条１９の背面に対応する位置には、タブ形成用突片が存在しない状態となる。
【００３６】
（２）次に、前記内筒外筒形成用コア１１を開方向に移動させる。
前記環状突条１９が押されて外筒１８が外方に変位するが、その背面に対応する部分には、タブ形成用突片は存在せず、また、タブ形成用上突片２１は、前記環状突条１９の上端、又は、上端より上方の高さ位置にあるので、破損することはない。
【００３７】
（３）更に、第一の成形型部材２の第１中間コア５、第２中間コア６、第３中間コア７、外筒形成用上コア８、を順次、抜く。
これにより離型工程は、完了し、図１〜図３に示す合成樹脂製キャップ１６が取り出される。
【００３８】
更に、前記離型工程を経て製造された合成樹脂性キャップ１６について説明する。
合成樹脂製キャップ１６は、容器口部に打栓装着されるキャップ本体４０と、該キャップ本体４０の螺着筒２７螺合される蓋体(図示省略)と、を備えている。
【００３９】
キャップ本体４０は、外筒１８と、該外筒１８の天面を覆う天壁４２と、該天壁４２の上面側に設けられ、前記螺着筒２７の内側に配設された注出筒２６と、該注出筒２６の内側に配設されているプルリング２９と、を備えている。前記天壁４２の下面側には、前記外筒１８に対向する内筒１７が突設されている。
【００４０】
前記外筒１８の外周面には、環状段部４４が設けられ、該環状段部４４の上面には、蓋体のスカートの下端が当接する。前記外筒１８の内周面には、容器口部の環状係合部に係合する環状突条１９が突設されている。前記環状突条１９は、外筒１８の前記環状段部４４より下方の部分（以下、「外筒下部」という）に形成されている。前記段部４４には、周方向弱化線３１が設けられているが、この周方向弱化線３１の形成位置は、必要に応じて適宜選択することが出来る。
【００４１】
外筒１８の表面側には、円弧状のタブ１５が設けられている。このタブ１５の内側には、円弧状の空間部２８が貫通して設けられ、その先端部１５ａは、破断可能な薄肉のブリッジ４６を介して前記外筒１８に固定されている。タブ１５の内周面には、滑り止め用の突起４８が複数個設けられている。
【００４２】
前記タブ１５の上端面は、外筒1８の環状段部４４の上面と同一水平面上に位置しているが、該上端面には、掴みやすいようにするための切り欠き部５０が設けられている。前記タブ１５の径方向の長さ（肉厚）と前記空間部２８の径方向の長さは、同一長さに形成されているが、それらの長さは、必要に応じて適宜選択される。
【００４３】
前記タブ１５の後端部側の付け根は、Ｖ字状に形成され、該付け根には、縦弱化線３０が設けられている。該縦弱化線３０は、Ｖ字状に交差する上側傾斜弱化線部３７と下側傾斜弱化線３８とにより構成され、その交差部３０Ｐは、タブ１５側を向いている。即ち、前記交差部３０Ｐは、タブ１５の先端部１５ａに向かって突となっている。前記両弱化線部３７、３８の交差角は、鋭角の範囲内で、必要に応じて適宜選択される。例えば、前記交差角として、70度が好適である。
【００４４】
前記上側傾斜弱化線部３７の上端は、前記周方向弱化線３１の始端部に連続し、また、前記下側傾斜弱化線部３８は、前記環状突条１９を切断する方向に伸びながら外筒１８の下端に至っている。
前記交差部３０Ｐは、環状突条１９の上端１９ａの高さ位置にあるが、この位置は、必要に応じて適宜選択され、例えば、上端１９ａから上方（但し、環状段部４４の上面より下方）の高さ位置を選択することも出来る。
【００４５】
次に、合成樹脂製キャップ１６を図示しない容器口部から抜栓する手順について説明する。
容器の内容物を使用して、該容器が空になった後、蓋体を所定方向に回してキャップ本体４０から外す。
【００４６】
空間部２８に指を入れてタブ１５を挟持し、周方向Ａ１５に引っ張ると、ブリッジ４６が切れる。そうすると、タブ１５の先端部１５ａが自由に動くようになるので、タブ１５をしっかりと掴むにことが出来る。
【００４７】
前記タブ１５を更に周方向Ａ１５に引っ張ると、縦弱化線３０に力がかかるが、先ず最初に、その交差部３０Ｐに力がかかる。この交差部３０Ｐは、Ｖ字状に尖がっているため、集中応力がかかることになるので、簡単に裂き切ることができる。
【００４８】
前記タブ１５を更に周方向Ａ１５に引っ張ると、両傾斜弱化線部３７、３８には、それぞれ同等な引っ張り力がかかるので、同じような割合で切り裂かれるため、効率よく切れる。前記上側傾斜弱化線部３７は下側傾斜弱化線部３８に比べて短いので、該下側傾斜弱化線部３８より先に切り終わるが、該上側傾斜弱化線部３７が切り終わると、周方向弱化線３１が裂き切れ始める。
【００４９】
前記タブ１５を更に周方向Ａ１５に引っ張ると、下側傾斜弱化線部３８が切り終わり、その後は、周方向弱化線３１だけが裂き切られる。
このようにして弱化線３０、３１を裂き切ると、環状係合部２１に係合する環状突条１９の締め付けが完全に解除されるので、キャップ本体４０を、簡単に容器口部から取り外すことが出来る。
【図面の簡単な説明】
【００５０】
【図１】本件発明の実施例を示す図であり、キャップ製造用成形型により成形されたキャップの正面図である。
【図２】図１に示すキャップの平面図である。
【図３】図1に示すキャップの縦断面図である。
【図４】図１に示すキャップ製造用成形型の要部断面図である。
【図５】離型作業中の成形型を示す要部断面図である。
【図６】従来例のキャップ製造用成形型を示す要部断面図である。
【符号の説明】
【００５１】
１    成形型
２    第一の成形型部材
３    第二の成形型部材
４    表側センターコア
５    第１中間コア
６    第2中間コア
７    第3中間コア
８    外筒形成用上コア
１０  裏側センターコア
１１  内筒外筒形成用コア
１２  外筒形成用下コア
１５  タブ
１６  キャップ
１８  外筒
１９  環状突条
２０  環状突条形成部
２１  タブ形成用上突片
２２  タブ形成用下突片
【図１】
2010000602.tif 000003
【図２】
2010000602.tif 000004
【図３】
2010000602.tif 000005
【図４】
2010000602.tif 000006
【図５】
2010000602.tif 000007
【図６】
2010000602.tif 000008